【手続補正書】
【提出日】平成26年12月15日(2014.12.15)
【手続補正１】
【補正対象書類名】特許請求の範囲
【補正対象項目名】全文
【補正方法】変更
【補正の内容】
【特許請求の範囲】
【請求項１】
ファイバチャネル初期化プロトコル（ＦＩＰ）フレームとファイバチャネルオーバーイーサネット（ＦＣｏＥ）フレームとを、ＦＣｏＥデバイス相互接続装置（ＦＩＡ）により、出所ＦＣｏＥデバイスから宛先ＦＣｏＥデバイスへ転送する方法であって、
前記方法は、
前記出所ＦＣｏＥデバイスから、宛先イーサネットＭＡＣアドレスおよび出所イーサネットＭＡＣアドレスを含む前記ＦＩＰフレームを、前記ＦＩＡにより受信することと、ここで、前記ＦＩＡは、宛先および出所イーサネットＭＡＣアドレスを差し替えることができる、
イーサネットリンクを介して、ＦＣｏＥデバイス相互接続装置コントローラ（ＦＩＡＣ）へ、前記受信したＦＩＰフレームを転送し、それによって、前記ＦＩＡＣは前記ＦＩＰフレームを処理し、前記ＦＩＡＣはＦＩＰリンクサービス受付（ＬＳ  ＡＣＣ）またはＦＩＰリンクサービス拒絶（ＬＳ  ＲＪＴ）フレームを返すことと、
前記出所ＦＣｏＥデバイスから、宛先イーサネットＭＡＣアドレスおよび出所イーサネットＭＡＣアドレスを含む前記ＦＣｏＥフレームを、前記ＦＩＡにより受信することと、
前記受信したＦＣｏＥフレームの前記宛先イーサネットＭＡＣアドレスおよび出所イーサネットＭＡＣアドレスを差し替え、受信したＦＣｏＥフレーム内のカプセル化されたファイバチャネルフレームのコンテンツを維持することと、
前記差し替えられた宛先イーサネットＭＡＣアドレスおよび前記差し替えられた出所イーサネットＭＡＣアドレスにより前記受信したＦＣｏＥフレームを、前記宛先ＦＣｏＥデバイスへ転送することと、
を備える、方法。
【請求項２】
前記受信したＦＣｏＥフレームの前記宛先イーサネットＭＡＣアドレスは、リモートＦＣｏＥデバイスのＶＮ Ｐｏｒｔに割り当てられたＭＡＣアドレスに差し替えられ、
前記リモートＦＣｏＥデバイスのＶＮ Ｐｏｒｔは、前記受信したＦＣｏＥフレームの組み込みファイバチャネルフレームにおいてファイバチャネル宛先アドレス識別子によって識別される、請求項１に記載の方法。
【請求項３】
前記受信したＦＣｏＥフレームの前記差し替えられた出所イーサネットＭＡＣアドレスは、前記ＦＩＡＣのＦＣｏＥフォワーダＭＡＣ（ＦＣＦ−ＭＡＣ）アドレスである、請求項１に記載の方法。
【請求項４】
前記受信したＦＣｏＥフレームにおける前記宛先イーサネットＭＡＣアドレスは、前記ＦＩＡＣのＦＣＦ−ＭＡＣアドレスである、請求項１に記載の方法。
【請求項５】
前記ＦＩＡは、イーサネットスイッチと、イーサネットブリッジと、仮想スイッチと、サーバに組み込まれたスイッチと、ストレージシステムに組み込まれたスイッチと、コンバージドネットワークアダプタ（ＣＮＡ）に組み込まれたスイッチと、のうちの１つ以上を備える、請求項１に記載の方法。
【請求項６】
受信したファイバチャネル初期化プロトコル（ＦＩＰ）フレームとファイバチャネルオーバーイーサネット（ＦＣｏＥ）フレームとを複数のポート間で転送するために、前記複数のポートを相互接続する装置であって、
前記装置は、
ＦＩＰフレームとＦＣｏＥフレームとを送信および受信するように適合された第１のポートと、
ＦＩＰフレームとＦＣｏＥフレームとを送信および受信するように適合された第２のポートと、
前記第１のポートと前記第２のポートとの間に配置され、前記第１のポートと前記第２のポートとへ結合された接続装置であって、前記第１のポートと前記第２のポートとの間でＦＩＰフレームとＦＣｏＥフレームとを転送する、接続装置と、
宛先イーサネットＭＡＣアドレス差し替え装置と、
出所イーサネットＭＡＣアドレス差し替え装置と、
イーサネットタイプフィールド照合装置と、
ＦＣｏＥデバイス相互接続装置コントローラ（ＦＩＡＣ）からのＦＣｏＥフォワーダＭＡＣ（ＦＣＦ−ＭＡＣ）アドレスを収容するストレージと、
１つ以上のＦＣｏＥフレームを識別し、着信したＦＩＰおよび／またはＦＣｏＥフレームにおける出所および宛先イーサネットＭＡＣアドレスを差し替えるが、受信したＦＣｏＥフレーム内のカプセル化されたファイバチャネルフレームのコンテンツを維持するように、前記宛先および出所イーサネットＭＡＣアドレス差し替え装置に合図するように構成されたフレーム処理装置であって、ＦＩＰフレームを識別し、前記ＦＩＰフレームとＦＣｏＥフレームとをイグレスポートから転送するために、前記接続装置へ転送するようにさらに構成された、フレーム処理装置と、
を備える、装置。
【請求項７】
着信フレームフィールド照合ストレージをさらに含む、請求項６に記載の装置。
【請求項８】
前記着信フィールド照合ストレージは、ファイバチャネルアドレス識別子と、ＭＡＣアドレスと、仮想ローカルエリアネットワーク識別子と、イグレスポートと、イグレスポートグループと、のうちの１つ以上を利用する、請求項７に記載の装置。
【請求項９】
前記出所イーサネットＭＡＣアドレス差し替え装置は、着信したＦＩＰおよび／またはＦＣｏＥフレームの出所イーサネットＭＡＣアドレスを、ストレージ内のＭＡＣアドレスに差し替える、請求項６に記載の装置。
【請求項１０】
前記フレーム処理装置は、受信したＦＣｏＥフレームにおける元の出所および宛先イーサネットＭＡＣアドレスにより、ファイバチャネルファブリックサービス宛先アドレス識別子を含む前記ＦＣｏＥフレームを、前記接続装置へ転送するように構成される、請求項６に記載の装置。
【請求項１１】
前記フレーム処理装置は、全ＥＮｏｄｅのグループアドレス（Ａｌｌ−ＥＮｏｄｅ−ＭＡＣｓ）および全ＦＣｏＥデバイスのグループアドレス（Ａｌｌ−ＦＣＦ−ＭＡＣｓ）のＭＡＣアドレスのうちの１つ以上を含む前記宛先イーサネットＭＡＣアドレスにより、前記ＦＩＰフレームを転送する、請求項６に記載の装置。
【請求項１２】
第３のポートをさらに含み、
前記第３のポートは、
ファイバチャネルフレームを送信および受信し、
前記第３のポートから前記接続装置へ転送する前に、ファイバチャネルフレームをＦＣｏＥフレームにカプセル化し、
前記接続装置から受信したＦＣｏＥフレームに対して、ＦＣｏＥフレームからファイバチャネルフレームにカプセル解除する、
ように適合される、請求項６に記載の装置。
【請求項１３】
ファイバチャネルオーバーイーサネット（ＦＣｏＥ）デバイスを相互接続するシステムであって、
前記システムは、
第１のＦＣｏＥデバイスと、
第２のＦＣｏＥデバイスと、
ＦＣｏＥデバイス相互接続装置（ＦＩＡ）と、
ＦＣｏＥデバイス相互接続装置コントローラ（ＦＩＡＣ）と、
を備えており、
前記ＦＣｏＥデバイス相互接続装置（ＦＩＡ）は、
ファイバチャネル初期化プロトコル（ＦＩＰ）フレームとＦＣｏＥフレームとを送信および受信するように適合された第１のポートであって、前記第１のＦＣｏＥデバイスが結合される、第１のポートと、
ＦＩＰフレームとＦＣｏＥフレームとを送信および受信するように適合された第２のポートであって、前記第２のＦＣｏＥデバイスが結合される、第２のポートと、
ＦＩＰフレームと、ＦＣｏＥフレームと、ＩＰフレームとを送信および受信するように適合された第３のポートと、
前記第１、第２、および第３のポート間に配置され、前記第１、第２、および第３のポートへ結合され、イーサネットフレームを転送する、接続装置と、
出所イーサネットＭＡＣアドレス差し替え装置と、
宛先イーサネットＭＡＣアドレス差し替え装置と、
フレーム処理装置と、
を含み、
前記フレーム処理装置は、ＦＩＰフレームを識別し、元の出所および宛先イーサネットＭＡＣアドレスにより前記ＦＩＰフレームを前記接続装置へ転送し、ＦＣｏＥフレームを識別し、出所および宛先イーサネットＭＡＣアドレスを差し替えるが、受信したＦＣｏＥフレーム内のカプセル化されたファイバチャネルフレームのコンテンツを維持するように前記出所および宛先イーサネットＭＡＣアドレス差し替え装置に合図するように構成されており、
前記ＦＣｏＥデバイス相互接続装置コントローラ（ＦＩＡＣ）は、ＦＩＰフレームと、ＦＣｏＥフレームと、ＩＰフレームとを送信および受信するように適合された第１のポートであって、前記ＦＩＡの前記第３のポートへ結合された、第１のポートを含む、
システム。
【請求項１４】
前記出所イーサネットＭＡＣアドレス差し替え装置は、ポートからの着信ＦＣｏＥフレームの出所イーサネットＭＡＣアドレスを、前記ＦＩＡＣのイーサネットＦＣｏＥフォワーダＭＡＣ（ＦＣＦ−ＭＡＣ）アドレスに差し替える、請求項１３に記載のシステム。
【請求項１５】
ＦＩＰフレームは、前記ＦＩＡにおいて前記フレーム処理装置によって識別され、前記元の出所および宛先イーサネットＭＡＣアドレスにより前記ＦＩＡＣへ転送され、
前記ＦＩＡＣは、前記ＦＩＰフレームを受信し、処理する、請求項１３に記載のシステム。
【請求項１６】
ファブリックコントローラの組み込みファイバチャネル宛先識別子を有するＦＣｏＥフレームは、前記ＦＩＡにおいて前記フレーム処理装置によって識別され、
前記ＦＣｏＥフレームは、前記元の出所および宛先イーサネットＭＡＣアドレスにより前記ＦＩＡＣへ転送され、
前記ＦＩＡＣは、前記ＦＣｏＥフレームを受信し、処理する、請求項１３に記載のシステム。
【請求項１７】
ＦＣｏＥフレームは、前記ＦＩＡにおいて前記フレーム処理装置によって識別され、
前記出所イーサネットＭＡＣアドレスは、前記出所イーサネットＭＡＣアドレス差し替え装置によって差し替えられ、
前記宛先イーサネットＭＡＣアドレスは、前記宛先イーサネットＭＡＣアドレス差し替え装置によって差し替えられ、
結果として得られたＦＣｏＥフレームは、前記第２のポートから前記第２のＦＣｏＥデバイスへ送信される、請求項１３に記載のシステム。
【請求項１８】
前記ＦＩＡは、第４のポートをさらに含み、
前記第４のポートは、ファイバチャネルフレームを送信および受信するように適合され、
前記第４のポートは、前記接続装置およびファイバチャネルデバイスへ結合される、請求項１３に記載のシステム。
【請求項１９】
前記ＦＩＡは、第４および第５のポートをさらに含み、
前記第４および第５のポートは、ファイバチャネルフレームを送信および受信するように適合され、前記接続装置へ結合される、請求項１３に記載のシステム。